(57)【特許請求の範囲】
【請求項１】
第一伝送信号を受信することができる第一信号受信感度器を備え、かつ少なくとも一側に第一孔を備えた第一アンテナモジュールと、
第二伝送信号を受信することができる第二信号受信感度器を備え、少なくとも一側に第二孔を備え、かつ第一信号受信感度が第二信号受信感度より低い第二アンテナモジュールと、
締め付け部材とからなり、
前記第一孔と前記第二孔が重なるように、前記第一アンテナモジュールと前記第二アンテナモジュールの一部が重ね合わされ、更に、第一孔と第二孔が締め付け部材で通されており、電子装置に取り付けることができるモジュール化アンテナであって、
グランド金属粘着板をさらに備え、その一表面は前記第一アンテナモジュールと前記第二アンテナモジュールにそれぞれ連接されて接地の効果を提供し、他の表面は電子装置に接着して前記第一アンテナモジュール及び前記第二アンテナモジュールとの固定効果を強化することを特徴とするモジュール化アンテナ。
【請求項２】
前記第一アンテナモジュールは無線エリアネットワークのWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は前記第一アンテナモジュールの位置よりも前記電子装置のディスプレーの端に接近して配置されることを特徴とする請求項1記載のモジュール化アンテナ。
【請求項３】
前記第一アンテナモジュールはデジタルテレビのアンテナモジュール、またはＧＰＳのアンテナモジュールであり、前記第二アンテナモジュールは無線エリアネットワークのWi-Fiアンテナモジュールであり、
前記電子装置は優れた信号受信状態を維持することができるために、前記第二アンテナモジュールの位置は前記第一アンテナモジュールの位置よりも前記電子装置のディスプレーの端に接近して配置されることを特徴とする請求項1記載のモジュール化アンテナ。
【請求項４】
前記第一アンテナモジュールと前記第二アンテナモジュールの重ね部分は1センチ以下であることを特徴とする請求項1記載のモジュール化アンテナ。
【請求項５】
前記締め付け部材はねじ、ボルトまたはプラグであることを特徴とする請求項1記載のモジュール化アンテナ。
【請求項６】
グランドウォール及び金属ウォールをさらに備え、
前記グランドウォールは重ねられた第一孔及び第二孔の上に配置されて接地の機能を提供し、
前記金属ウォールは前記第二アンテナモジュールの下方に配置され、かつその一端はグランドウォールと接続して前記第二アンテナモジュールを覆い被し、前記第一アンテナモジュールと前記第二アンテナモジュール間に干渉が生じることを避けることを特徴とする請求項１から５のいずれか１項に記載のモジュール化アンテナ。
【請求項７】
前記第一アンテナモジュールが第一アンテナ及び第二アンテナをさらに備え、第一アンテナの長さは第二アンテナより短く、かつ第二アンテナの前端に配置されて５GHzの無線信号を伝送または受信することができ、第二アンテナは2.4GHzの無線信号を伝送または受信することができることを特徴とする請求項２記載のモジュール化アンテナ。
【請求項８】
前記第二アンテナモジュールが第一アンテナ及び第二アンテナをさらに備え、第一アンテナの長さは第二アンテナより短く、かつ第二アンテナの前端に配置されて1800-2170MHzの無線信号を伝送または受信することができ、第二アンテナは800-1000MHzの無線信号を伝送または受信することができることを特徴とする請求項２記載のモジュール化アンテナ。
【請求項９】
第一伝送信号を受信することができる第一信号受信感度器を備えた第一アンテナモジュールと、
第二伝送信号を受信することができる第二信号受信感度器を備えた第二アンテナモジュールとからなり、
第一信号受信感度は第二信号受信感度より低く、前記第一アンテナモジュールと前記第二アンテナモジュールは一部重ね合い、かつ突起してウォール部を形成し、
ウォール部には固定部材を通して締め付けに用いるための固定孔を備え、一部重ね合った前記第一アンテナモジュール及び前記第二アンテナモジュールを電子装置に取り付けることができるモジュール化アンテナであって、
グランド金属粘着板をさらに備え、その一表面は前記第一アンテナモジュール及び前記第二アンテナモジュールにそれぞれ連接して接地に用いることを提供し、他の表面は前記電子装置に接着されて前記第一アンテナモジュール及び前記第二アンテナモジュールとの取り付け効果を強化することを特徴とするモジュール化アンテナ。
【請求項１０】
前記第一アンテナモジュールは無線エリアネットワークのWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は前記第一アンテナモジュールの位置よりも前記電子装置のディスプレーの端に接近して配置されることを特徴とする請求項９記載のモジュール化アンテナ。
【請求項１１】
前記第一アンテナモジュールはデジタルテレビのアンテナモジュールまたはＧＰＳのアンテナモジュールであり、前記第二アンテナモジュールは無線エリアネットワークのWi-Fiアンテナモジュールであり、
前記電子装置が優れた信号受信状態を維持することができるために、前記第二アンテナモジュールの位置は前記第一アンテナモジュールの位置よりも前記電子装置のディスプレーの端に接近して配置されることを特徴とする請求項９記載のモジュール化アンテナ。
【請求項１２】
前記ウォール部はグランドウォールであり、かつそれの幅は1センチより狭い幅であることを特徴とする請求項９記載のモジュール化アンテナ。
【請求項１３】
前記締め付け部材はねじ、ボルトまたはプラグであることを特徴とする請求項９記載のモジュール化アンテナ。
【請求項１４】
前記第二アンテナモジュールの下側に設置され、一端は前記グランドウォールに接続される、前記第二アンテナモジュールを覆い被すための金属ウォールを、さらに備え、前記第一アンテナモジュール及び前記第二アンテナモジュール間に干渉が生じることを避けることを特徴とする請求項９から１２のいずれか１項に記載のモジュール化アンテナ。
【請求項１５】
前記電子装置はノートブック型コンピューター、ＰＤＡまたはスマートフォンであることを特徴とする請求項９記載のモジュール化アンテナ。
【請求項１６】
前記第一アンテナモジュールが第一アンテナ及び第二アンテナをさらに備え、第一アンテナの長さは第二アンテナの長さより短く、かつ第二アンテナの前端に配置されて５GHzの無線信号を伝送または受信することができ、第二アンテナは2.4 GHzの無線信号を伝送または受信することができることを特徴とする請求項1０記載のモジュール化アンテナ。
【請求項１７】
前記第二アンテナモジュールは第一アンテナ及び第二アンテナをさらに備え、第一アンテナの長さは第二アンテナの長さより短く、かつ第二アンテナの前端に配置されて1800-2170MHzの無線信号を伝送または受信することができ、第二アンテナは800-1000MHzの無線信号を伝送または受信することができることを特徴とする請求項1０記載のモジュール化アンテナ。
【請求項１８】
前記第一アンテナモジュール及び前記第二アンテナモジュールが一体成型方式によって製造されることを特徴とする請求項９記載のモジュール化アンテナ。
【請求項１９】
第一伝送信号を受信することができる第一信号受信感度器を備えた第一アンテナモジュールと、
第二伝送信号を受信することができる第二信号受信感度器を備え、かつ、第一信号受信感度は第二信号受信感度より低い第二アンテナモジュールと、
前記第一アンテナモジュール及び前記第二アンテナモジュールの間に設置されるグランド金属ウォールとからなり、
前記第一アンテナモジュール、前記グランド金属ウォール及び前記第二アンテナモジュールを電子装置に取り付けることができるモジュール化アンテナであって、
グランド金属粘着板をさらに備え、その一表面は前記第一アンテナモジュール及び前記第二アンテナモジュールにそれぞれ連接して接地の機能を提供し、他の表面は前記電子装置に粘着されて前記第一アンテナモジュール及び前記第二アンテナモジュールとの取り付け効果を強化することを特徴とするモジュール化アンテナ。
【請求項２０】
前記第一アンテナモジュールは無線エリアネットワークのWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は第一アンテナモジュールの位置よりも前記電子装置のディスプレーの端に接近して配置されることを特徴とする請求項１９記載のモジュール化アンテナ。
【請求項２１】
前記第一アンテナモジュールはデジタルテレビのアンテナモジュールまたはＧＰＳのアンテナモジュールであり、前記第二アンテナモジュールは無線エリアネットワークWi-Fiのアンテナモジュールであり、
前記電子装置が優れた信号受信状態を維持することができるために、前記第二アンテナモジュールの位置は第一アンテナモジュールの位置よりも前記電子装置のディスプレーの端に接近して配置されることを特徴とする請求項２０記載のモジュール化アンテナ。
【請求項２２】
前記グランド金属ウォールが"Ｌ"型形状であり、その縦方向側辺は前記第一アンテナモジュール及び前記第二アンテナモジュールの間に位置して接地の機能を提供し、横方向側辺は前記第二アンテナモジュールの下側に位置して前記第一アンテナモジュールと前記第二アンテナモジュールを阻隔することを特徴とする請求項１９記載のモジュール化アンテナ。
【請求項２３】
前記第一アンテナモジュールは第一アンテナ及び第二アンテナをさらに備え、第一アンテナの長さは第二アンテナより短く、かつ第二アンテナの前端に配置されて５GHzの無線信号を伝送または受信することができ、第二アンテナは2.4 GHzの無線信号を伝送または受信することができることを特徴とする請求項２０記載のモジュール化アンテナ。
【請求項２４】
前記第二アンテナモジュールは第一アンテナ及び第二アンテナをさらに備え、第一アンテナの長さは第二アンテナより短く、かつ第二アンテナの前端に配置されて1800-2170MHzの無線信号を伝送または受信することができ、第二アンテナは800-1000MHzの無線信号を伝送または受信することができることを特徴とする請求項２０記載のモジュール化アンテナ。
【請求項２５】
前記第二アンテナモジュールが、締め付け部材を通し、前記モジュール化アンテナの構造をポータブル装置のディスプレーに取り付けるための固定孔を備えたことを特徴とする請求項１９記載のモジュール化アンテナ。
【発明の詳細な説明】
【技術分野】
【０００１】
本発明はモジュール化アンテナの構造に関し、特に異なる二つのアンテナモジュールの一部を重ね合わせ、体積を縮小し、及び組み付けの利便を図るモジュール化アンテナの構造を指したものである。
【背景技術】
【０００２】
デジタルテレビ、ＧＰＳまたは無線エリアネットワークの普及に応じるため、ノートブック型コンピューターには通常前記デジタルテレビ、ＧＰＳまたは無線エリアネットワークの無線信号を受信するアンテナモジュールが付け加えられてある。
【０００３】
例えば、すでに認可された台湾特許第583785号の「ノートブック型コンピューターの統合型多周波アンテナ」（出願日2003年4月8日、公開日2004年4月11日）において、ノートブック型コンピューターの統合型多周波アンテナが開示されている。前記ノートブック型コンピューターはディスプレー及びディスプレーの外殻フレーム(frame)を備え、前記統合型多周波アンテナはディスプレーの外殻フレームに設置される。前記統合型多周波アンテナは第一共振モード(mode)を発生するための第一輻射金属線と、前記第一輻射金属線と相対し、並びに前記第一輻射金属線と一定の距離を隔てた、第二共振モードを発生するための第二輻射金属線と、前記第二輻射金属線と相対し、並びに前記第二輻射金属線と一定の距離を隔てたグランド金属片と、前記第一輻射金属線及び前記第二輻射金属線を連接するための少なくとも一本の第一連接金属線と、前記第二輻射金属線及び前記グランド金属片を連接するための第二連接金属線を含む。図面においてアンテナモジュールは両側開口を用いて、ノートブック型コンピューターのディスプレーの頂端に取り付けられることを開示している。前記特許はノートブック型コンピューターの統合型多周波アンテナの構造のみに注目している。図面によれば前記多周波アンテナモジュールは、ねじによってノートブック型コンピューターのディスプレーに取り付け、信号を受信する。記載された方法によれば二つのねじを用いてそれぞれ両側の開口に通して締め付けるが、多数個の多周波アンテナモジュールを取り付ける場合はより多くのねじが必要となるので、組み付けに時間を費やしてしまうという問題があった。
【発明の開示】
【発明が解決しようとする課題】
【０００４】
本発明の主要目的はモジュール化アンテナの構造及びアンテナの位置を製品のニーズ(needs)に応じ、フレキシブル(flexible)に必要とするアンテナモジュールを組み合わせることができるモジュール化アンテナの構造の提供である。
【０００５】
本発明のもう一つの目的はアンテナモジュールの設置個所を制限してアンテナの受信効果を向上し、並びにフレキシブルに組み付けられる目的を達成し、生産のコスト(cost)を低減するモジュール化アンテナの構造の提供である。
【課題を解決するための手段】
【０００６】
前記目的を達成するため、本発明のモジュール化アンテナの構造は第一伝送信号を受信することができ、少なくとも一側に第一孔を備えた第一アンテナモジュールと、第二伝送信号を受信することができ、少なくとも一側に第二孔を備えた第二アンテナモジュールと、締め付け部材とが含まれ、組み付け時は前記第一アンテナモジュールと前記第二アンテナモジュールの一部を重ね合わせ、それから締め付け部材で第一孔と第二孔を通して電子装置に取り付ける。
また、本発明のモジュール化アンテナの構造は第一伝送信号を受信することができる第一アンテナモジュールと、第二伝送信号を受信することができ、かつそれと前記第一アンテナモジュールの一部が重ね合い、かつ突起してウォール部が形成する第二アンテナモジュールが含まれ、組み付け時は一部重ね合った前記第一アンテナモジュール及び前記第二アンテナモジュールを電子装置に取り付ける。
【０００７】
即ち、前記目的を達成するため、本発明のモジュール(module)化アンテナ(antenna)は、
第一伝送信号を受信することができる第一信号受信感度器を備え、かつ少なくとも一側に第一孔を備えた第一アンテナモジュールと、
第二伝送信号を受信することができる第二信号受信感度器を備え、少なくとも一側に第二孔を備え、かつ第一信号受信感度が第二信号受信感度より低い第二アンテナモジュールと、
締め付け部材とからなり、
前記第一孔と前記第二孔が重なるように、前記第一アンテナモジュールと前記第二アンテナモジュールの一部が重ね合わされ、更に、第一孔と第二孔が締め付け部材で通されている、電子装置に取り付けることができるモジュール化アンテナであることからなる。
また、前記第一アンテナモジュールは無線エリアネットワーク（area network）のWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は前記第一アンテナモジュールの位置よりも前記電子装置のディスプレー(display)の端に接近して配置されることが好適である。
また、前記第一アンテナモジュールはデジタルテレビ(digital television)のアンテナモジュール、またはＧＰＳのアンテナモジュールであり、前記第二アンテナモジュールは無線エリアネットワークのWi-Fiアンテナモジュールであり、
前記電子装置は優れた信号受信状態を維持することができるために、前記第二アンテナモジュールの位置は前記第一アンテナモジュールの位置よりも前記電子装置のディスプレーの端に接近して配置されることが好適である。
また、前記第一アンテナモジュールと前記第二アンテナモジュールの重ね部分は1センチ以下であることが好適である。
また、前記締め付け部材はねじ、ボルト(bolt)またはプラグ(plug)であることが好適である。
また、グランドウォール(ground wall)及び金属ウォールをさらに備え、
前記グランドウォールは重ねられた第一孔及び第二孔の上に配置されて接地の機能を提供し、
前記金属ウォールは前記第二アンテナモジュールの下方に配置され、かつその一端はグランドウォールと接続して前記第二アンテナモジュールを覆い被し、前記第一アンテナモジュールと前記第二アンテナモジュール間に干渉が生じることを避けることが好適である。
また、グランド金属粘着板をさらに備え、その一表面は前記第一アンテナモジュールと前記第二アンテナモジュールにそれぞれ連接されて接地の効果を提供し、他の表面は電子装置に接着して前記第一アンテナモジュール及び前記第二アンテナモジュールとの固定効果を強化することが好適である。
また、前記第一アンテナモジュールが第一アンテナ及び第二アンテナをさらに備え、第一アンテナの長さは第二アンテナより短く、かつ第二アンテナの前端に配置されて５GHzの無線信号を伝送または受信することができ、第二アンテナは2.4GHzの無線信号を伝送または受信することができることが好適である。
また、前記第二アンテナモジュールが第一アンテナ及び第二アンテナをさらに備え、第一アンテナの長さは第二アンテナより短く、かつ第二アンテナの前端に配置されて1800-2170MHzの無線信号を伝送または受信することができ、第二アンテナは800-1000MHzの無線信号を伝送または受信することができることが好適である。
また、前記目的を達成するため、本発明のモジュール化アンテナは、
第一伝送信号を受信することができる第一信号受信感度器を備えた第一アンテナモジュールと、
第二伝送信号を受信することができる第二信号受信感度器を備えた第二アンテナモジュールとからなり、
第一信号受信感度は第二信号受信感度より低く、前記第一アンテナモジュールと前記第二アンテナモジュールは一部重ね合い、かつ突起してウォール部を形成し、
ウォール部には固定部材を通して締め付けに用いるための固定孔を備え、一部重ね合った前記第一アンテナモジュール及び前記第二アンテナモジュールを電子装置に取り付けることができること、からなる。
また、前記第一アンテナモジュールは無線エリアネットワークのWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は前記第一アンテナモジュールの位置よりも前記電子装置のディスプレーの端に接近して配置されることが好適である。
また、前記第一アンテナモジュールはデジタルテレビのアンテナモジュールまたはＧＰＳのアンテナモジュールであり、前記第二アンテナモジュールは無線エリアネットワークのWi-Fiアンテナモジュールであり、
前記電子装置が優れた信号受信状態を維持することができるために、前記第二アンテナモジュールの位置は前記第一アンテナモジュールの位置よりも前記電子装置のディスプレーの端に接近して配置されることが好適である。
また、前記ウォール部はグランドウォールであり、かつそれの幅は1センチより狭い幅であることが好適である。
また、前記締め付け部材はねじ、ボルトまたはプラグであることが好適である。
また、前記第二アンテナモジュールの下側に設置され、一端は前記グランドウォールに接続される、前記第二アンテナモジュールを覆い被すための金属ウォールを、さらに備え、前記第一アンテナモジュール及び前記第二アンテナモジュール間に干渉が生じることを避けることが好適である。
また、前記電子装置はノートブック型コンピューター、ＰＤＡまたはスマートフォン(smart phone)であることが好適である。
また、グランド金属粘着板をさらに備え、その一表面は前記第一アンテナモジュール及び前記第二アンテナモジュールにそれぞれ連接して接地に用いることを提供し、他の表面は前記電子装置に接着されて前記第一アンテナモジュール及び前記第二アンテナモジュールとの取り付け効果を強化することが好適である。
また、前記第一アンテナモジュールが第一アンテナ及び第二アンテナをさらに備え、第一アンテナの長さは第二アンテナの長さより短く、かつ第二アンテナの前端に配置されて５GHzの無線信号を伝送または受信することができ、第二アンテナは2.4  GHzの無線信号を伝送または受信することができることが好適である。
また、前記第二アンテナモジュールは第一アンテナ及び第二アンテナをさらに備え、第一アンテナの長さは第二アンテナの長さより短く、かつ第二アンテナの前端に配置されて1800-2170MHzの無線信号を伝送または受信することができ、第二アンテナは800-1000MHzの無線信号を伝送または受信することができることが好適である。
また、前記第一アンテナモジュール及び前記第二アンテナモジュールが一体成型方式によって製造されることが好適である。
さらに、前記目的を達成するため、本発明のモジュール化アンテナは、
第一伝送信号を受信することができる第一信号受信感度器を備えた第一アンテナモジュールと、
第二伝送信号を受信することができる第二信号受信感度器を備え、かつ、第一信号受信感度は第二信号受信感度より低い第二アンテナモジュールと、
前記第一アンテナモジュール及び前記第二アンテナモジュールの間に設置されるグランド金属ウォールとからなり、
前記第一アンテナモジュール、前記グランド金属ウォール及び前記第二アンテナモジュールを電子装置に取り付けることができること、からなる。
また、前記第一アンテナモジュールは無線エリアネットワークのWi-Fiアンテナモジュールであり、前記第二アンテナモジュールは第三世代行動通信のアンテナモジュールであり、
前記電子装置が優れた信号受信状態を維持することができるために、前記第二アンテナモジュールの位置は第一アンテナモジュールの位置よりも前記電子装置のディスプレーの端に接近して配置されることが好適である。
また、前記第一アンテナモジュールはデジタルテレビのアンテナモジュールまたはＧＰＳのアンテナモジュールであり、前記第二アンテナモジュールは無線エリアネットワークWi-Fiのアンテナモジュールであり、
前記電子装置が優れた信号受信状態を維持することができるために、前記第二アンテナモジュールの位置は第一アンテナモジュールの位置よりも前記電子装置のディスプレーの端に接近して配置されることが好適である。
また、前記グランド金属ウォールが"Ｌ"型形状であり、その縦方向側辺は前記第一アンテナモジュール及び前記第二アンテナモジュールの間に位置して接地の機能を提供し、横方向側辺は前記第二アンテナモジュールの下側に位置して前記第一アンテナモジュールと前記第二アンテナモジュールを阻隔することが好適である。
また、グランド金属粘着板をさらに備え、その一表面は前記第一アンテナモジュール及び前記第二アンテナモジュールにそれぞれ連接して接地の機能を提供し、他の表面は前記電子装置に粘着されて前記第一アンテナモジュール及び前記第二アンテナモジュールとの取り付け効果を強化することが好適である。
前記第一アンテナモジュールは第一アンテナ及び第二アンテナをさらに備え、第一アンテナの長さは第二アンテナより短く、かつ第二アンテナの前端に配置されて５GHzの無線信号を伝送または受信することができ、第二アンテナは2.4  GHzの無線信号を伝送または受信することができることを特徴とする請求項22記載のモジュール化アンテナ。
また、前記第二アンテナモジュールは第一アンテナ及び第二アンテナをさらに備え、第一アンテナの長さは第二アンテナより短く、かつ第二アンテナの前端に配置されて1800-2170MHzの無線信号を伝送または受信することができ、第二アンテナは800-1000MHzの無線信号を伝送または受信することが好適である。
また、前記第二アンテナモジュールが、締め付け部材を通し、前記モジュール化アンテナの構造をポータブル装置のディスプレーに取り付けるための固定孔を備えることが好適である。
【発明を実施するための最良の形態】
【０００８】
図１(a)は本発明の最適な実施例のモジュール化アンテナ構造の第一アンテナモジュールを示す図であり、図１(b)は本発明の最適な実施例のモジュール化アンテナ構造の第二アンテナモジュールを示す図であり、図２は本発明の第一アンテナモジュール及び第二アンテナモジュールを重ね合わせて組み付けを行った図である。図面に示すように、本発明のモジュール化アンテナの構造は第一アンテナモジュール10、第二アンテナモジュール20、及び締め付け部材30から構成されてなる。
【０００９】
前記第一アンテナモジュール10は第一伝送信号を受信することができ、それの少なくとも一側に第一孔11が備えられ、本実施例において、それは二つの孔11を例として説明するが、それに限らない。前記第一アンテナモジュール10は例えばWi-Fiの無線信号の受信に用いられるWi-Fiのアンテナモジュールであるが、それに限らない。
【００１０】
前記第一アンテナモジュール10は更に第一アンテナ12及び第二アンテナ13を備え、第一アンテナ12の長さは第二アンテナ13より短く、かつ第二アンテナ13の前端に設置され、前記第一アンテナ12は例えば５GHzの無線信号を伝送または受信することができるがそれに限らず、前記第二アンテナ13は例えば2.4GHzの無線信号を伝送または受信することができるが、それに限らない。
【００１１】
前記第二アンテナモジュール20は第二伝送信号を受信することができ、かつそれの少なくとも一側に第二孔21が備えられ、本実施例においては二つの孔21を例として説明するが、それに限らない。前記第二アンテナモジュール20は例えば、デジタルテレビ(ＤＶＢ)、ＧＰＳまたは第三世代行動通信(３Ｇ)の無線信号の受信に用いられる、デジタルテレビ(ＤＶＢ)のアンテナモジュール、ＧＰＳのアンテナモジュール、または第三世代行動通信(３Ｇ)のアンテナモジュールであるがそれに限らない。
【００１２】
前記第二アンテナモジュール20は更に第一アンテナ22及び第二アンテナ23を備え、第一アンテナ22の長さは第二アンテナ23より短く、かつ第二アンテナ23の前端に設置される。前記第一アンテナ22は、例えば1800-2170MHzの無線信号を伝送または受信することができるがそれに限らず、前記第二アンテナ23は例えば800-1000MHzの無線信号を伝送または受信することができるが、それに限らない。
【００１３】
前記締め付け部材30は前記第一アンテナモジュール10及び前記第二アンテナモジュール20の取り付けに用いられ、それは、例えばねじ、ボルトまたはプラグであるがそれに限らず、本実施例においてはねじを例として説明するが、それに限らない。
【００１４】
図２に示すように、組み付け時は、前記第一アンテナモジュール10右側の第一孔11と前記第二アンテナモジュール20左側の第二孔21を重ね合わさるように前記第一アンテナモジュール10と前記第二アンテナモジュール20の一部を重ね合わせる。更に前記締め付け部材30を第一孔11と第二孔21に通して電子装置40のディスプレー41の上側に取り付ける。例えば左上側または右上側に取り付けるが、それに限らない。
前記電子装置は、例えばノートブック型コンピューター、ＰＤＡまたはスマートフォンであるが、それに限らない。前記第一アンテナモジュール10と前記第二アンテナモジュール20の重ね合わせ部分は1センチ以下である。この外、前記第一アンテナモジュール10の位置は前記第二アンテナモジュール20の位置よりも前記電子装置40のディスプレー41の端に接近するので、前記電子装置40は優れた受信状態を維持することができる。
【００１５】
このほか、本発明のモジュール化アンテナの構造は更にグランドウォール50及び金属ウォール51を備え、グランドウォール50は金属材質であり、かつ重ね合った第一孔11及び第二孔21の上に配置されて接地の機能を提供し、並びに前記第一アンテナモジュール10及び前記第二アンテナモジュール20間に干渉が生じることを避ける。前記金属ウォール51は前記第二アンテナモジュール20の下側に設置され、その一端はグランドウォール50に連接され、前記第二アンテナモジュール20を覆い被して前記第一アンテナモジュール10及び前記第二アンテナモジュール20間に干渉が生じることを避ける。
【００１６】
このほか、本発明のモジュール化アンテナの構造は更にグランド金属粘着板55を備え、その一表面は前記第一アンテナモジュール10及び前記第二アンテナモジュール20にそれぞれ連接されて接地の機能を提供し、他の表面は前記電子装置40に粘着されて前記第一アンテナモジュール10及び前記第二アンテナモジュール20との固定効果を強化する。
【００１７】
図３に示す本発明のモジュール化アンテナの構造を電子装置に組み付けた図を参照ください。図面に示すように、本発明の第一アンテナモジュール10及び第二アンテナモジュール20を重ね合わした後、締め付け部材30によって電子装置の40のディスプレーの左上側及び／または右上側に取り付けることができる。
【００１８】
第二アンテナモジュール20がデジタルテレビ(ＤＶＢ)のアンテナモジュールまたはＧＰＳのアンテナモジュールである場合、Wi-Fiの無線信号の受信感度はやや高いので（例えば-85dBmであるがそれに限らない）、Wi-Fi無線信号の受信に用いられる第一アンテナモジュール10を電子装置のディスプレー41に近い外側に配置し、またデジタルテレビ(ＤＶＢ)またはＧＰＳの無線信号の受信感度はやや低いので（例えば-80  dBmであるがそれに限らない）、それを内側に配置し、電子装置40に優れた受信状態が維持できるようにする。他に、第二アンテナモジュール20が第三世代行動通信(３G)のアンテナモジュールである場合、モジュール化アンテナの構造はWi-Fiの無線信号を受信する第一アンテナモジュール10を内側に設置し、第三世代行動通信(３G)の無線信号を受信する第二アンテナモジュール20を外側に設置し、第二アンテナモジュール20に感度が最も高い（例えば-100dBmであるがそれに限らない）第三世代行動通信(３G)の無線信号の受信の利便を図る。したがって、前記モジュール化アンテナの構造の配置により、前記電子装置40は同時にWi-Fiの無線信号、デジタルテレビの無線信号、ＧＰＳの無線信号または第三世代行動通信の無線信号を受信することができ、かつ組み付けが便利で生産のコストを低減する利点があるほか、製品のニーズに応じてフレキシブルに必要とするアンテナモジュールを組み合わせることができ、それによって従来の多周波アンテナ構造の欠陥を改善することができる。
【００１９】
図４に示す本発明別の最適実施例のモジュール化アンテナの構造を参照してください。図面に示すように、本発明のモジュール化アンテナの構造は第一アンテナモジュール60、及び第二アンテナモジュール70から構成されてなる。
【００２０】
前記第一アンテナモジュール60は例えばWi−Fiアンテナモジュールであるがそれに限らず、例えばWi−Fiの無線信号であるがそれに限らない第一伝送信号の受信に用いられる。
【００２１】
前記第一アンテナモジュール60は更に第一アンテナ62及び第二アンテナ63を備え、第一アンテナ62の長さは第二アンテナ63より短く、かつ第二アンテナ63の前端に設置される。
前記第一アンテナ62は例えば５GHzであるがそれに限らない無線信号を伝送または受信することができ、前記第二アンテナ63は例えば2.4GHzであるがそれに限らない無線信号を伝送または受信することができる。
【００２２】
前記第二アンテナモジュール70は例えばデジタルテレビ(ＤＶＢ)のアンテナモジュール、ＧＰＳのアンテナモジュールまたは第三世代行動通信(３Ｇ)のアンテナモジュールであるがそれに限らず、第二伝送信号は例えばデジタルテレビ(ＤＶＢ)、ＧＰＳまたは第三世代行動通信(３Ｇ)であるがそれに限らない無線信号の受信に用いられる。
【００２３】
前記第二アンテナモジュール70は更に第一アンテナ72及び第二アンテナ73を備え、第一アンテナ72の長さは第二アンテナ73より短く、かつ第二アンテナ73の前端に設置される。
第一アンテナ72は例えば1800−2170MHzであるがそれに限らない無線信号を伝送または受信することができ、第二アンテナ73は例えば800−1000MHzであるがそれに限らない無線信号を伝送または受信することができる。
【００２４】
また、前記第一アンテナモジュール60と前記第二アンテナモジュール70の一部が重ね合い、かつ突起してウォール部80を形成する。前記ウォール部80は例えばグランドウォールであるがそれに限らず、かつそれの幅は1センチ以下である。前記グランドウォール80には更に締め付け部材30を通し及び締め付けるための固定孔81を備える。前記グランドウォール80は接地の機能を達成するほか、かつ締め付け部材30によって本発明のモジュール化アンテナの構造を電子装置40のディスプレー41に取り付ける目的を達成することができる。
【００２５】
また、本発明のモジュール化アンテナの構造は更に金属ウォール82を備え、前記第二アンテナ70の下側に設置され、かつその一端は前記グランドウォール80に連接し、第二アンテナモジュール70を覆い被して前記第一アンテナモジュール60及び前記第二アンテナモジュール70間に干渉が生じることを避ける。
【００２６】
また、本発明のモジュール化アンテナの構造は更にグランド金属粘着板90を備え、その一表面は前記第一アンテナモジュール60及び前記第二アンテナモジュール70にそれぞれ連接されて接地の機能を強化し、他の表面は電子装置40に粘着されて前記第一アンテナモジュール60及び第二アンテナモジュール70の取り付け効果を強化する。前記第一アンテナモジュール60、前記第二アンテナモジュール70、グランドウォール80、金属ウォール82及びグランド金属粘着板90は一体成型方式をもって製造し、製造及び組み付けのコストを節減してもよい。
【００２７】
図５に示す本発明のモジュール化アンテナの構造を電子装置に組み付けた図を参照ください。図面に示すように、組み付け時は締め付け部材30によってグランドウォール80の固定孔81に通し、電子装置40のディスプレーの左上側及び／または右上側に締め付け、それからグランド金属粘着板90を電子装置40のディスプレー41に貼り付けば、本実施例のモジュール化アンテナの構造の組み付けを完成する。
【００２８】
第二アンテナモジュール70がデジタルテレビ(ＤＶＢ)のアンテナモジュールまたはＧＰＳのアンテナモジュールである場合、Wi-Fi無線信号の受信感度がやや高いので（例えば-85dBmであるがそれに限らない）、Wi-Fi無線信号の受信に用いる第一アンテナモジュール60を前記電子装置のディスプレー41に近い外側に配置し、またデジタルテレビ(ＤＶＢ)またはＧＰＳアンテナモジュールの無線信号の受信感度はやや低いので（例えば-80dBmであるがそれに限らない）内側に配置し、前記電子装置40は優れた信号受信状態を維持することができる。また第二アンテナモジュール70が第三世代行動通信（３G）のアンテナモジュールである場合、モジュール化アンテナの構造のWi-Fi無線信号を受信する第一アンテナモジュール60を内側に設置し、第三世代行動通信(３G)の無線信号を受信する第二アンテナモジュール70を外側に設置し、前記第二アンテナモジュール70を感度が最も高い（例えば-100dBmであるがそれに限らない）第三世代行動通信の無線信号が受信できるようにする。したがって、前記モジュール化アンテナの構造の配置によって、電子装置40はWi-Fi無線信号、デジタルテレビの無線信号、ＧＰＳ無線信号または第三世代行動通信の無線信号を同時に良好に受信することができ、かつ組み付けが便利で製造コストを低減する利点があるほか、製品のニーズに応じてフレキシブルに必要とするアンテナモジュールを組み合わせることができるので、従来の多周波アンテナ構造の欠陥を改善することができ、かつ進歩性を備える。
【００２９】
図６に示す本発明のもう一つの実施例のモジュール化アンテナの構造の図を参照してください。図面に示すように、本発明のモジュール化アンテナの構造は第一アンテナモジュール100、第二アンテナモジュール110、及びグランド金属ウォール120から構成されてなる。
【００３０】
前記第一アンテナモジュール100は例えばWi-Fiのアンテナモジュールであるがそれに限らず、例えばWi-Fi無線信号であるがそれに限らない第一伝送信号の受信に用いられる。
【００３１】
前記第一アンテナモジュール100は更に第一アンテナ101及び第二アンテナ102を備え、第一アンテナ101の長さは第二アンテナ102より短く、かつ第二アンテナ101の前端に配置され、前記第一アンテナ101は例えば５GHzであるがそれに限らない無線信号を伝送または受信することができ、第二アンテナ102は例えば２GHzであるがそれに限らない無線信号を伝送または受信することができる。
【００３２】
前記第二アンテナモジュール110は例えばデジタルテレビ(ＤＶＢ)のアンテナモジュール、ＧＰＳのアンテナモジュールまたは第三世代行動通信(３Ｇ)のアンテナモジュールであるがそれに限らず、例えばデジタルテレビ(ＤＶＢ)、ＧＰＳまたは第三世代行動通信(３Ｇ)の無線信号であるがそれに限らない第二伝送信号を受信することに用いられる。
【００３３】
前記第二アンテナモジュール110は更に第一アンテナ111及び第二アンテナ112を備え、第一アンテナ111の長さは第二アンテナ112より短く、かつ第二アンテナ112の前端に配置され、前記第一アンテナ111は、例えば1800−2170MHzであるがそれに限らない無線信号を伝送または受信することができ、前記第二アンテナ112は例えば800−1000MHzであるがそれに限らない無線信号を伝送または受信することができる。
【００３４】
前記グランド金属ウォール120は"Ｌ"型形状に表れ、それの縦方向側辺は前記第一アンテナモジュール100及び第二アンテナモジュール110の間に位置して接地の機能を提供し、横方向の側辺は前記第二アンテナモジュール110の下方に位置し、前記第一アンテナモジュール100と前記第二アンテナモジュール110を阻隔し、Wi-Fi無線信号及びデジタルテレビ(ＤＶＢ)、ＧＰＳまたは第三世代行動通信(３Ｇ)の無線信号間の相互の干渉を避ける。
【００３５】
また、本発明の第二アンテナモジュール110は更に締め付け部材30を通し、前記モジュール化アンテナの構造をポータブル型装置40のディスプレー41に取り付けるための固定孔115を備えてある。
【００３６】
また、本発明のモジュール化アンテナの構造は更にグランド金属粘着板130を備え、それの一表面は前記第一アンテナモジュール100及び前記第二アンテナモジュール110にそれぞれ連接して接地の効能を提供し、他の表面は電子装置に粘着されて前記第一アンテナモジュール100及び前記第二アンテナモジュール110との締め付け効果を強化する。
【００３７】
したがって、本発明のモジュール化アンテナの構造により、モジュール化アンテナの構造及びアンテナの位置は製品のニーズに応じて、フレキシブルに必要とするアンテナモジュールを組み合わせることができる。そのほか、それはアンテナモジュールの設置個所を制限してアンテナの受信効果を向上し、フレキシブルに組み付けの目的を達成することができ、それによって生産コストを低減するので、従来の多周波アンテナ構造の欠陥を改善することができる。
【図面の簡単な説明】
【００３８】
【図１ａ】本発明の最適実施例のモジュール化アンテナの構造の第一アンテナモジュールを示す図である。
【図１ｂ】本発明の最適実施例のモジュール化アンテナの構造の第二アンテナモジュールを示す図である。
【図２】本発明の第一アンテナモジュール及び第二アンテナモジュールを重ね合わせて組み付けを行った図である。
【図３】本発明のモジュール化アンテナの構造を電子装置に組み付けた図である。
【図４】本発明別の最適実施例のモジュール化アンテナの構造の図である。
【図５】本発明のモジュール化アンテナの構造を電子装置に組み付けた図である。
【図６】本発明のもう一つの最適実施例のモジュール化アンテナの構造の図である。
【符号の説明】
【００３９】
10    第一アンテナモジュール
11    第一孔
12    第一アンテナ
13    第二アンテナ
20    第二アンテナモジュール
21    第二孔
22    第一アンテナ 
23    第二アンテナ
30    締め付け部材
40    電子装置
41    ディスプレー
50    グランドウォール
51    金属ウォール
55    グランド金属粘着板
60    第一アンテナモジュール
62    第一アンテナ
63    第二アンテナ
70    第二アンテナモジュール
72    第一アンテナ
73    第二アンテナ
80    ウォール部
81    固定孔
82    金属ウォール
90    グランド金属粘着板
100   第一アンテナモジュール
101   第一アンテナ
102   第二アンテナ
110   第二アンテナモジュール
111   第一アンテナ
112   第二アンテナ
115   固定孔
120   グランド金属ウォール
130   グランド金属粘着板
【図１ａ】
0004584957.tif 000002
【図１ｂ】
0004584957.tif 000003
【図２】
0004584957.tif 000004
【図３】
0004584957.tif 000005
【図４】
0004584957.tif 000006
【図５】
0004584957.tif 000007
【図６】
0004584957.tif 000008